(57)【要約】【課題】ファンの着脱の際に治具を用意する必要がなく、ルーバーにファンを容易に着脱できるようにする。【解決手段】ルーバー１の背面に被係止爪１４を形成し、ファン２へ指などの挿入を防止するためのフィンガーガード３にルーバー１の被係止爪１４と係止する係止爪２０を突設する。ファン２は開口面をフィンガーガード３に嵌めた上でルーバー１の背面に嵌めることにより、フィンガーガード３の係止爪２０がルーバー１の被係止爪１４に係止し、ルーバー１の背面とフィンガーガード３とでファン２を挟持して固定する。【選択図】図１
2007170699.tif 000002
【特許請求の範囲】
【請求項１】
ルーバーの背面にファンを当接させて配置し、該ファンに指などの挿入を防止するフィンガーガードを備えて成るルーバーのファン取り付け構造において、前記ルーバーは背面に被係止部を形成するとともに、前記フィンガーガードに前記ルーバーの被係止部に係止する係止部を突設し、前記ルーバーの背面と前記フィンガーガードとで前記ファンを挟持して取り付け可能にしたことを特徴とするルーバーのファン取り付け構造。
【請求項２】
前記ルーバーの被係止部は前記ファンの対向する側面のうち一方面の両端部と他方面の中央部に対応する位置に形成し、前記フィンガーガードの係止部は前記ルーバーの被係止部に係止する長脚係止部と、上下反転させて前記被係止部に係止する短脚係止部とで形成し、前記フィンガーガードの長脚係止部又は短脚係止部を前記ルーバーの被係止部に選択的に係止可能にしたことを特徴とする請求項１に記載のルーバーのファン取り付け構造。
【発明の詳細な説明】
【技術分野】
【０００１】
本発明は、ルーバーに強制換気をするためのファンを取り付ける構造に関する。
【背景技術】
【０００２】
従来、ルーバーに強制換気をするためのファンを取り付ける構造は、ルーバーの背面に形成されたネジ穴にファンの４隅に形成された貫通孔と、指などの挿入を防止するためのフィンガーガードの４隅に形成された挿通孔の位置を合わせ、ファンの背面方向からフィンガーガードの挿通孔とファンの貫通孔に取付ネジを順に挿通させてルーバーのネジ穴に螺着することにより固定していた（例えば、特許文献１参照。）。
【０００３】
【特許文献１】特許第３６４５８３５号公報
【発明の開示】
【発明が解決しようとする課題】
【０００４】
そのため、従来のファン取り付け構造ではファンの取り付け時に各部材に取付ネジを挿通させるための位置合わせが煩わしく、また、取り付け時及び取り外し時には取付ネジを回すためにドライバーを用意しなければならないので容易にファンの着脱ができなかった。また、キャビネットの換気に使用されるファンは換気性能により３８ｍｍと２５ｍｍの厚みの異なる２種類が多く使われているが、これらのファンの厚みに応じて取付ネジを用意しなければならないという問題があった。
【課題を解決するための手段】
【０００５】
本発明は、請求項１に記載の発明によれば、ルーバーの背面にファンを当接させて配置し、ファンに指などの挿入を防止するフィンガーガードを備えて成るルーバーのファン取り付け構造において、ルーバーは背面に被係止部を形成するとともに、フィンガーガードにルーバーの被係止部に係止する係止部を突設し、ルーバーの背面とフィンガーガードとでファンを挟持して取り付け可能にしたことを特徴とする。
【０００６】
請求項２に記載の発明によれば、請求項１に記載のルーバーのファン取り付け構造において、ルーバーの被係止部はファンの対向する側面のうち一方面の両端部と他方面の中央部に対応する位置に形成し、フィンガーガードの係止部はルーバーの被係止部に係止する長脚係止部と、上下反転させて被係止部に係止する短脚係止部とで形成し、フィンガーガードの長脚係止部又は短脚係止部をルーバーの被係止部に選択的に係止可能にしたことを特徴とする。
【発明の効果】
【０００７】
請求項１に記載の発明によれば、ファンの着脱の際に治具を用意する必要がなく、ルーバーにファンを容易に着脱することができるという効果がある。
【０００８】
請求項２に記載の発明によれば、請求項１に記載の発明の効果に加えて、１つのフィンガーガードで厚みの異なる２種類のファンをルーバーに取り付けることができるという効果がある。
【発明を実施するための最良の形態】
【０００９】
ルーバーの背面に被係止部を形成し、ファンへ指などの挿入を防止するためのフィンガーガードにルーバーの被係止部と係止する係止部を突設する。ファンは開口面をフィンガーガードに嵌めた上でルーバーの背面に嵌めることにより、フィンガーガードの係止部がルーバーの被係止部に係止し、ルーバーの背面とフィンガーガードとでファンを挟持して固定する。
【実施例１】
【００１０】
本発明に係るルーバーのファン取り付け構造の実施例１を図１〜図４の添付図面に基づいて説明する。
【００１１】
図１に示すようにルーバー１は、強制換気をするためのファン２と、ファン２に指を挿入しないように防止するためのフィンガーガード３が取り付けられ、これらは、例えば通信機器や電気機器などを収納するためのキャビネット４を換気するために側面に形成された開口部５に取り付けられる。キャビネット４は開口部５の周囲にルーバー１を固定するためのねじ６が挿通する取付孔７が形成されている。
【００１２】
ルーバー１は、図２に示すように矩形状に形成された枠部１０の内周縁に羽根部１１が外側方向に下がるように傾斜して所定間隔で複数並設され、枠部１０の外周縁の４辺に背面方向に側板部１２が立設され、このうち上下側板部１２はねじ６が螺合するねじ孔１３が形成されている。また、枠部１０の背面には被係止部としての被係止爪１４が上下２箇所ずつ突設されている。
【００１３】
フィンガーガード３は、図３に示すようにファン２の開口面に対応した円形開口を有する矩形枠１６が形成され、矩形枠１６内には放射状に所定間隔で配置される直線状リブ１７と同心円状に所定間隔で配置される環状リブ１８とで指が通らないように形成されている。また、矩形枠１６の背面にはファン２の４隅に形成された固定孔２３に嵌入する凸部１９と、ルーバー１の被係止爪１４と対向する係止部としての係止爪２０が突設されている。
【００１４】
こうして形成されたルーバー１はキャビネット４の開口部５の外側に防水パッキン２４を介在させて枠部１０を当接させ、キャビネット４の内側から取付孔７にねじ６を挿通させてルーバー１のねじ孔１３に螺着することにより固定される。一方、ファン２は固定孔２３にフィンガーガード３の凸部１９を嵌入してファン２がずれないようにし、それからファン２をルーバー１の背面に嵌めることにより図４に示すようにフィンガーガード３の係止爪２０がルーバー１の被係止爪１４に係止し、ファン２はルーバー１の背面とフィンガーガード３とで挟持して固定される。こうして固定されたファン２は、係止爪２０及び被係止爪１４により上下方向への移動が規制され、ルーバー１の左右側板部１２，１２により左右方向への移動が規制されるようになっている。ファン２に接続される配線は係止爪２０及び被係止爪１４にインシュロックなどにより固定することができる。
【００１５】
ファン２を交換する場合は、まず、上側の係止爪２０を指で押し上げて撓ませることにより上側の被係止爪１４との係止を解除し、次にファン２とフィンガーガード３を手で持って下げることにより下側の係止爪２０と被係止爪１４との係止が解除するので簡単に取り外すことができる。尚、取り外しは始めに下側の係止を解除し、次に上側の係止を解除する順序であっても勿論良い。
【００１６】
尚、本実施例ではルーバーの被係止部及びフィンガーガードの係止部を上下２箇所ずつ形成しているが、例えば上下左右の中央に１箇所ずつ形成してもよく、被係止部及び係止部の形状についても限定はない。また、その他の形状及び構造についても本発明の趣旨を逸脱しない範囲において適宜に変更して実施することが可能である。
【実施例２】
【００１７】
本発明に係るルーバーのファン取り付け構造の実施例２を図５〜図９の添付図面に基づいて説明する。
【００１８】
図５に示すようにルーバー３１は、強制換気をするためのファン３２と、ファン３２に指を挿入しないように防止するためのフィンガーガード３３が取り付けられ、これらは、例えば通信機器や電気機器などを収納するためのキャビネット３４を換気するために側面に形成された開口部３５に取り付けられる。キャビネット３４は開口部３５の周囲にルーバー３１を固定するためのねじ３６が挿通する取付孔３７が形成されている。
【００１９】
ルーバー３１は、図６に示すように矩形状に形成された枠部４０の内周縁に羽根部４１が外側方向に下がるように傾斜して所定間隔で複数並設され、枠部４０の外周縁の４辺に背面方向に側板部４２が立設され、このうち上下側板部４２はねじ３６が螺合するねじ孔４３が形成されている。また、枠部４０の背面には被係止部としての被係止爪４４がファン３２の上側面の両端に対応する箇所とファン３２の下側面の中央に対応する箇所に突設されている。
【００２０】
フィンガーガード３３は、図７に示すようにファン３２の開口面に対応した円形開口を有する矩形枠４６が形成され、矩形枠４６内には放射状に所定間隔で配置される直線状リブ４７と同心円状に所定間隔で配置される環状リブ４８とで指が通らないように形成されている。また、矩形枠４６の背面にはファン３２の４隅に形成された固定孔５３に嵌入する凸部４９と、ルーバー３１の被係止爪４４と対向する係止部としての係止爪が突設されている。係止爪は脚の短い短脚係止爪５１と脚の長い長脚係止爪５２とで構成し、短脚係止爪５１と長脚係止爪５２は互い違いに形成され、フィンガーガード３３を上下反転させることにより短脚係止爪５１又は長脚係止爪５２をルーバー３１の被係止爪４４に選択的に係止可能にしている。
【００２１】
こうして形成されたルーバー３１はキャビネット３４の開口部３５の外側に防水パッキン５４を介在させて枠部４０を当接させ、キャビネット３４の内側から取付孔３７にねじ３６を挿通させてルーバー３１のねじ孔４３に螺着することにより固定される。一方、ファン３２は固定孔５３にフィンガーガード３３の凸部４９を嵌入してファン３２がずれないようにし、それから、ファン３２の厚みが小さい場合は図８に示すようにフィンガーガード３３の短脚係止爪５１をルーバー３１の被係止爪４４と対向するようにしてルーバー３１の背面に嵌めることによりフィンガーガード３３の短脚係止爪５１がルーバー３１の被係止爪４４に係止し、また、ファン３２の厚みが大きい場合は図９に示すようにフィンガーガード３３の長脚係止爪５２をルーバー３１の被係止爪４４と対向するようにしてルーバー３１の背面に嵌めることによりフィンガーガード３３の長脚係止爪５２がルーバー３１の被係止爪４４に係止し、ファン３２はルーバー３１の背面とフィンガーガード３３とで挟持して固定される。こうして固定されたファン３２は、短脚係止爪５１、長脚係止爪５２、被係止爪４４により上下方向への移動が規制され、ルーバー３１の左右側板部４２，４２により左右方向への移動が規制されるようになっている。ファン３２に接続される配線は短脚係止爪５１、長脚係止爪５２、被係止爪４４にインシュロックなどにより固定することができる。
【００２２】
ファン３２を交換する場合は、まず、上側の被係止爪４４と係止した短脚係止爪５１又は長脚係止爪５２を指で押し上げて撓ませることにより上側の被係止爪４４との係止を解除し、次にファン３２とフィンガーガード３３を手で持って下げることにより下側の被係止爪４４に係止した短脚係止爪５１又は長脚係止爪５２の係止が解除するので簡単に取り外すことができる。尚、取り外しは始めに下側の係止を解除し、次に上側の係止を解除する順序であっても勿論良い。
【００２３】
尚、本実施例ではルーバーの被係止部を上側２箇所と下側１箇所に形成しているが、上側１箇所と下側２箇所に形成してもよく、被係止部及び係止部の形状についても限定はない。また、その他の形状及び構造についても本発明の趣旨を逸脱しない範囲において適宜に変更して実施することが可能である。
【図面の簡単な説明】
【００２４】
【図１】本発明の実施例１に係るルーバーのファン取り付け構造を示す分解斜視図である。
【図２】本発明の実施例１に係るルーバーの背面を示す斜視図である。
【図３】本発明の実施例１に係るフィンガーガードを示す斜視図である。
【図４】本発明の実施例１に係るルーバーにファンを取り付けた状態を示す斜視図である。
【図５】本発明の実施例２に係るルーバーにファン取り付け構造を示す分解斜視図である。
【図６】本発明の実施例２に係るルーバーの背面を示す斜視図である。
【図７】本発明の実施例２に係るフィンガーガードを示す斜視図である。
【図８】本発明の実施例２に係るルーバーに厚みの小さいファンを取り付けた状態を示す斜視図である。
【図９】本発明の実施例２に係るルーバーに厚みの大きいファンを取り付けた状態を示す斜視図である。
【符号の説明】
【００２５】
１    ルーバー
２    ファン
３    フィンガーガード
１４    被係止爪
２０    係止爪
【図１】
2007170699.tif 000003
【図２】
2007170699.tif 000004
【図３】
2007170699.tif 000005
【図４】
2007170699.tif 000006
【図５】
2007170699.tif 000007
【図６】
2007170699.tif 000008
【図７】
2007170699.tif 000009
【図８】
2007170699.tif 000010
【図９】
2007170699.tif 000011